【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
複数のコンテンツのそれぞれに関連付けられた１以上のキーワードのそれぞれに設定された、該キーワードに関連付けられたコンテンツが提供されるユーザとしての権限を管理する管理手段と、
ユーザの識別情報及び該ユーザが入力するキーワードを取得する取得手段と、
前記複数のコンテンツから、前記取得手段によって取得されたキーワードに関連付けられたコンテンツを検索した結果として所定の表示画面に表示される１以上のコンテンツから、前記取得手段によって取得されたキーワードに設定された権限によって、前記取得手段によって取得されたユーザの識別情報が示すユーザへの提供が制限されるコンテンツを除外する制御手段と、
を有することを特徴とする情報処理装置。
【請求項２】
前記ユーザにより複数のキーワードが入力された場合、
前記制御手段は、前記複数のキーワードのうち、少なくとも１つのキーワードに設定された権限によって、前記取得手段によって取得されたユーザの識別情報が示すユーザへの提供が制限されるコンテンツを特定することを特徴とする請求項１に記載の情報処理装置。
【請求項３】
前記ユーザにより複数のキーワードが入力された場合、
前記制御手段は、前記複数のキーワードのすべてのキーワードに設定された権限によって、前記取得手段によって取得されたユーザの識別情報が示すユーザへの提供が制限されるコンテンツを特定することを特徴とする請求項１に記載の情報処理装置。
【請求項４】
前記制御手段は、前記所定の表示画面に前記複数のコンテンツの少なくとも一部が表示された状態で、１つのコンテンツが選択されたことに応じて、前記選択されたコンテンツに関連付けられた１以上のキーワードを前記所定の表示画面に表示させる制御を行い、
前記制御手段は、前記取得手段によって取得されたキーワードに関連付けられたコンテンツを検索した結果である１以上のコンテンツが表示された状態で選択されたコンテンツに関連付けられた１以上のキーワードのうち、前記管理手段によって管理された権限によって、前記取得手段によって取得されたユーザの識別情報が示すユーザへの提供が制限されるキーワードを、前記制御手段によって前記所定の表示画面に表示されるキーワードから除外することを特徴とする請求項１乃至３のいずれか１項に記載の情報処理装置。
【請求項５】
前記コンテンツは、画像または音声であることを特徴とする請求項１乃至４のいずれか１項に記載の情報処理装置。
【請求項６】
前記複数のコンテンツから、前記取得手段によって取得されたキーワードに関連付けられたコンテンツを検索する検索手段をさらに備え、
前記制御手段は、
前記検索手段による検索の結果である１以上のコンテンツの中で、前記取得手段によって取得されたキーワードに設定された権限によって、前記取得手段によって取得されたユーザの識別情報が示すユーザへの提供が制限されるコンテンツを特定し、
前記検索手段による検索の結果として所定の表示画面に表示されるコンテンツから、前記特定されたコンテンツを除外することを特徴とする請求項１乃至５のいずれか１項に記載の情報処理装置。
【請求項７】
前記管理手段は、前記コンテンツのコンテンツＩＤ、前記キーワードのキーワードＩＤ、およびアクセスの権限、およびそれらの関連を示すキーワード-コンテンツ関連ＩＤの項目を有するキーワード-コンテンツ管理テーブルを用いて前記複数のコンテンツのそれぞれに関連付けられた１以上のキーワードのそれぞれに対して設定された権限を管理し、
前記制御手段は、前記キーワード-コンテンツ管理テーブルを参照することにより、前記取得手段によって取得されたユーザの識別情報が示すユーザへの提供が制限されるコンテンツを特定することを特徴とする請求項６に記載の情報処理装置。
【請求項８】
前記管理手段は、前記複数のコンテンツのそれぞれと、前記複数のコンテンツのそれぞれに関連付けられた１以上のキーワードのそれぞれとの組み合わせに対して設定された権限を管理し、
前記制御手段は、前記検索手段による検索の結果である１以上のコンテンツの中で、当該コンテンツと前記取得手段によって取得されたキーワードとの組み合わせに対して設定された権限によって、前記取得手段によって取得されたユーザの識別情報が示すユーザへの提供が制限されるコンテンツを特定することを特徴とする請求項６に記載の情報処理装置。
【請求項９】
前記制御手段は、
前記取得手段によって取得されたキーワードが第１キーワードであって、かつ、前記取得手段によって取得されたユーザの識別情報が示すユーザが、前記第１キーワードに対して設定された権限を与えられていない場合、前記取得手段によって取得されたキーワードに関連付けられたコンテンツを検索した結果として前記所定の表示画面に表示されるコンテンツから第１コンテンツを除外し、
前記取得手段によって取得されたキーワードが前記第１キーワードであって、かつ、前記取得手段によって取得されたユーザの識別情報が示すユーザが、前記第１キーワードに対して設定された、第２コンテンツが提供されるユーザとしての権限を与えられている場合、前記取得手段によって取得されたキーワードに関連付けられたコンテンツを検索した結果として前記第２コンテンツを含む１以上のコンテンツを前記所定の表示画面に表示させることを特徴とする請求項１乃至８のいずれか１項に記載の情報処理装置。
【請求項１０】
前記複数のコンテンツのそれぞれは画像であって、
一部のユーザにコンテンツを提供しない権限が設定される前記第１キーワードは、前記画像に係る位置を表すキーワードであることを特徴とする請求項９に記載の情報処理装置。
【請求項１１】
前記制御手段は、
前記取得手段によって取得されたキーワードが第２キーワードであって、かつ、前記取得手段によって取得されたユーザの識別情報が示すユーザが、前記第２キーワードに対して設定された前記第１コンテンツが提供されるユーザとしての権限を与えられている場合、前記取得手段によって取得されたキーワードに関連付けられたコンテンツを検索した結果として前記第１コンテンツを含む１以上のコンテンツを前記所定の表示画面に表示させることを特徴とする請求項９または１０に記載の情報処理装置。
【請求項１２】
前記制御手段は、さらに、
前記所定の表示画面に前記複数のコンテンツの少なくとも一部が表示された状態で、着目コンテンツが選択されたことに応じて、前記着目コンテンツに関連付けられた１以上のキーワードを前記所定の表示画面に表示させる制御を行うことを特徴とする請求項９に記載の情報処理装置。
【請求項１３】
前記制御手段は、
前記取得手段によって取得されたユーザの識別情報が示すユーザが、前記第１キーワードに対して設定された前記第１コンテンツの提供を受けるための権限を与えられておらず、前記第２キーワードに対して設定された前記第１コンテンツの提供を受けるための権限を与えられている場合、前記所定の表示画面に検索の結果として前記第１コンテンツを含む１以上のコンテンツが表示されている状態で、前記第１コンテンツが選択されたことに応じて、前記所定の表示画面に表示される前記第１コンテンツに関連付けられた１以上のキーワードから、前記第１キーワードを除外することを特徴とする請求項１１に記載の情報処理装置。
【請求項１４】
請求項１に対応する方法クレーム
複数のコンテンツのそれぞれに関連付けられた１以上のキーワードのそれぞれに設定された、該キーワードに関連付けられたコンテンツが提供されるユーザとしての権限を管理する管理工程と、
ユーザの識別情報及び該ユーザが入力するキーワードを取得する取得工程と、
前記複数のコンテンツから、前記取得工程において取得されたキーワードに関連付けられたコンテンツを検索した結果として所定の表示画面に表示される１以上のコンテンツから、前記取得工程において取得されたキーワードに設定された権限によって、前記取得工程において取得されたユーザの識別情報が示すユーザへの提供が制限されるコンテンツを除外する制御工程と、
を有することを特徴とする情報処理方法。
【請求項１５】
請求項１に対応するシステムクレーム
複数のコンテンツのそれぞれに関連付けられた１以上のキーワードのそれぞれに設定された、該キーワードに関連付けられたコンテンツが提供されるユーザとしての権限を管理する管理手段と、
ユーザの識別情報及び該ユーザが入力するキーワードを取得する取得手段と、
前記複数のコンテンツから、前記取得手段によって取得されたキーワードに関連付けられたコンテンツを検索した結果として所定の表示画面に表示される１以上のコンテンツから、前記取得手段によって取得されたキーワードに設定された権限によって、前記取得手段によって取得されたユーザの識別情報が示すユーザへの提供が制限されるコンテンツを除外する制御手段と、
を有することを特徴とするコンテンツ管理システム。
【請求項１６】
コンピュータを、請求項１から１３のいずれか１項に記載の情報処理装置の各手段として機能させるためのプログラム。
【手続補正２】
【補正対象書類名】明細書
【補正対象項目名】０００６
【補正方法】変更
【補正の内容】
【０００６】
上記目的を達成するための一手段として、本発明の情報処理装置は以下の構成を備える。すなわち、複数のコンテンツのそれぞれに関連付けられた１以上のキーワードのそれぞれに設定された、該キーワードに関連付けられたコンテンツが提供されるユーザとしての権限を管理する管理手段と、ユーザの識別情報及び該ユーザが入力するキーワードを取得する取得手段と、前記複数のコンテンツから、前記取得手段によって取得されたキーワードに関連付けられたコンテンツを検索した結果として所定の表示画面に表示される１以上のコンテンツから、前記取得手段によって取得されたキーワードに設定された権限によって、前記取得手段によって取得されたユーザの識別情報が示すユーザへの提供が制限されるコンテンツを除外する制御手段と、を有する。